(57)【要約】【課題】被縫製物や、被縫製物に取り付けた補助部材がテーブルで引掛るのを抑制するとともに、テーブルに接触した使用者の手に良好な接触感を与えることができるミシンを提供すること。【解決手段】載置面２２，３２に被縫製物が載置されるテーブル２０，３０と、テーブル２０，３０に載置された被縫製物に縫い目を形成する針１１を備えた本体部１０と、を有するミシン１とする。テーブル２０，３０の載置面の外縁２１は、使用者に対面する使用者対面部に、外側に凸な曲線部２１ａを有するようにする。【選択図】図１
2015223411.tif 000002
【特許請求の範囲】
【請求項１】
載置面に被縫製物が載置されるテーブルと、
前記テーブルに載置された被縫製物に縫い目を形成する針を備えた本体部と、を有し、
前記テーブルの載置面の外縁は、使用者に対面する使用者対面部に、外側に凸な曲線よりなる曲線部を有することを特徴とするミシン。
【請求項２】
前記曲線部は、前記針の正面の部位において、最も外側に凸となっていることを特徴とする請求項１に記載のミシン。
【請求項３】
前記テーブルの載置面は、前記針よりも手前の部位から前記使用者対面部側に向かって下降する傾斜を有することを特徴とする請求項１または２に記載のミシン。
【請求項４】
前記曲線部は、前記使用者対面部から、前記使用者対面部と反対側の部位の少なくとも一部にわたって、連続していることを特徴とする請求項１から３のいずれか１項に記載のミシン。
【請求項５】
前記テーブルは、前記本体部に固定されたベッドと、前記ベッドに対して着脱可能である補助テーブルよりなり、前記曲線部は、前記補助テーブルに設けられていることを特徴とする請求項１から４のいずれか１項に記載のミシン。
【請求項６】
前記テーブルの載置面の外縁は、前記使用者対面部と反対側の部位に、直線部を有することを特徴とする請求項１から５のいずれか１項に記載のミシン。
【発明の詳細な説明】
【技術分野】
【０００１】
本発明は、ミシンに関し、さらに詳しくは、被縫製物を載置するテーブルを有するミシンに関する。
【背景技術】
【０００２】
ミシンにおいては、縫製作業や収納の利便等の観点から、被縫製物を載置するテーブルが設計される。例えば、特許文献１においては、ミシンベッドに切欠部を形成してなる細巾部に着脱可能に係合して大型テ−ブルを形成する大型補助テ−ブルを有する大型テ−ブル付小型ミシンが開示されている。この大型テーブルをミシン本体に取り付けると、ミシンが略四角形のテーブルを備えた状態となる。
【先行技術文献】
【特許文献】
【０００３】
【特許文献１】登録実用新案第３０２１０４１号公報
【発明の概要】
【発明が解決しようとする課題】
【０００４】
特許文献１のような着脱式の大型テーブルがミシンに備えられると、大型の被縫製物の取り扱いの利便性と、コンパクトな収容を両立しやすくなる。しかし、被縫製物自体や、刺繍枠をはじめとする被縫製物に取り付ける補助部材が、略四角形のテーブルの角部に掛かりやすく、スムーズな布送りの妨げとなり、縫製作業の作業性を低下させてしまう。一方、テーブルを大きく形成すれば、被縫製物や補助部材の引掛りは低減されるが、ミシン全体が大型化してしまい、使用や収容の利便性が低下してしまう。
【０００５】
また、テーブルが略四角形の形状を有することで、縫製作業を行う使用者の手がテーブルの角部や縁部に接触した際に、使用者の手に不快な接触感を与えやすい（手あたりが悪い）。このことも、使用者にとっての縫製作業の作業性が低下してしまう要因となる。
【０００６】
本発明が解決しようとする課題は、被縫製物や被縫製物に取り付けた補助部材がテーブルで引掛るのを抑制するとともに、テーブルに接触した使用者の手に良好な接触感を与えることができるミシンを提供することにある。
【課題を解決するための手段】
【０００７】
上記課題を解決するために、本発明にかかるミシンは、載置面に被縫製物が載置されるテーブルと、前記テーブルに載置された被縫製物に縫い目を形成する針を備えた本体部と、を有し、前記テーブルの載置面の外縁は、使用者に対面する使用者対面部に、外側に凸な曲線よりなる曲線部を有することを要旨とする。
【０００８】
ここで、前記曲線部は、前記針の正面の部位において、最も外側に凸となっていることが好ましい。
【０００９】
また、前記テーブルの載置面は、前記針よりも手前の部位から前記使用者対面部側に向かって下降する傾斜を有するとよい。
【００１０】
そして、前記曲線部は、前記使用者対面部から、前記使用者対面部と反対側の部位の少なくとも一部にわたって、連続しているとよい。
【００１１】
また、前記テーブルは、前記本体部に固定されたベッドと、前記ベッドに対して着脱可能である補助テーブルよりなり、前記曲線部は、前記補助テーブルに設けられていることが好ましい。
【００１２】
そして、前記テーブルの載置面の外縁は、前記使用者対面部と反対側の部位に、直線部を有するとよい。
【発明の効果】
【００１３】
上記本発明にかかるミシンのテーブルにおいては、被縫製物や刺繍枠等の補助部材の引掛りが起こりやすい使用者対面部側の外縁に、外側に凸な曲線よりなる曲線部を有している。これにより、テーブル上で被縫製物や刺繍枠を動かしても、それらがテーブルの外縁に引掛りにくくなっている。また、縫製作業を行う使用者の手に曲線部が接触することで、角部や直線部が接触する場合と比較して、刺激の少ない良好な接触感を与えることができる。これらの要因により、使用者が縫製作業を行う際の作業性を高めることができる。
【００１４】
ここで、曲線部が、針の正面の部位において、最も外側に凸となっている場合には、被縫製物や補助部材がテーブルに引掛かるのを、一層効果的に防止することができる。
【００１５】
また、テーブルの載置面が、針よりも手前の部位から使用者対面部側に向かって下降する傾斜を有する場合には、使用者がこの傾斜部に手を置いた状態で被縫製物を針に向かって送りやすく、また刺繍枠等の補助部材を取り付けられた被縫製物が、スムーズに移動することができる。これにより、縫製作業の作業性を一層向上させることができる。
【００１６】
そして、曲線部が、使用者対面部から、使用者対面部と反対側の部位の少なくとも一部にわたって、連続している場合には、テーブルの使用者対面部と反対側の部位および側方の部位でも、被縫製物や補助部材の引掛りを防止することができる。
【００１７】
また、テーブルが、本体部に固定されたベッドと、ベッドに対して着脱可能である補助テーブルよりなり、曲線部が、補助テーブルに設けられている場合には、補助テーブルの着脱を選択することで、多様な縫製に対応することができるとともに、コンパクトな収納が可能となる。また、補助テーブルを交換することで、テーブルの大きさや形状を変更することも容易となる。
【００１８】
そして、テーブルの載置面の外縁が、使用者対面部と反対側の部位に、直線部を有する場合には、使用者対面部と比較して被縫製物の引掛りが起こりにくい反対側の部位において、テーブルの外側への突出量が少なくなるので、使用者対面部での被縫製物の引掛りを抑制しながら、テーブルをコンパクトに形成することができる。
【図面の簡単な説明】
【００１９】
【図１】本発明の一実施形態にかかるミシンを示す斜視図である。
【図２】上記ミシンのアーム部を除いて示した上面図である。
【図３】上記ミシンの補助テーブルを示す図であり、（ａ）は上面図、（ｂ）は側面図（（ａ）の左側から見た図に相当）、（ｃ）は正面図（（ａ）の下側から見た図に相当）である。
【図４】上記ミシンの補助テーブルの前方天面を外した状態の斜視図である。
【発明を実施するための形態】
【００２０】
以下、本発明の一実施形態にかかるミシンについて、図面を参照しながら説明する。本発明の一実施形態にかかるミシン１の構成を図１〜４に示す。本ミシン１は、主として家庭用に用いられるミシンであり、布帛等の被縫製物の縫製を行うものである。ここで、縫製とは、複数層に重ねた布帛の縫い合わせのみならず、刺繍等、縫い目による装飾の形成も含み、布帛等への縫い目の形成を広く意味するものである。
【００２１】
ミシン１は、本体部１０と、テーブルとを有している。テーブルは、補助テーブル２０と、ベッド３０とよりなっている。本体部１０とベッド３０は、一体に固定されている。一方、補助テーブル２０は、ベッド３０に対して着脱可能となっている。
【００２２】
一体に形成された本体部１０およびベッド３０は、従来一般のミシンと同様の構成を有する。その構造の詳細な説明は省略するが、本体部１０は、針１１や押さえ板（押さえ）１２等、縫製に必要な主要な部材備えるアーム部１０ａと、アーム部１０ａをベッド３０の上方に固定して支持する連結部１０ｂとを有してなっている。アーム部１０ａには、縫い目形状や刺繍図柄の設定等を行うための操作パネル１３や、上糸調節ダイヤル１４、天秤１５、糸掛け１６等、ミシン１を使用する使用者が操作する必要がある部材が一方面にまとめて配置されている。これらの部材が形成されている側が、ミシン１が使用者に対面する使用者対面部となる。
【００２３】
なお、本明細書において、ベッド３０および補助テーブル２０の上面である載置面２２，３２を通る軸として、Ｘ軸およびＹ軸を規定する。Ｙ軸は、ミシン１の使用者対面部とその反対側の面を結ぶ直線とし、使用者対面部と反対の側を＋Ｙ方向、使用者対面部側を−Ｙ方向とする。一方、Ｘ軸は、針１１がベッド３０の載置面３２と交わる点においてＹ軸と直交する直線とし、連結部１０ｂが設けられた側を＋Ｘ方向、補助テーブル２０がベッド３０に対して取り付けられた側を−Ｘ方向とする。Ｘ軸は、アーム部１０ａが延びる方向と略平行になっている。
【００２４】
針１１は、押さえ板１２に貫通孔として形成された針通過孔１２ａを通って、上下運動する。ベッド３０の針１１の下方に相当する領域には、被縫製物を送る（針１１に対してテーブル上で移動させる）送歯（不図示）が設けられている。本ミシン１において、送歯は、刺繍を行えるように、被縫製物を前後方向（Ｙ方向）のみならず、左右方向（Ｘ方向）にも送ることができる。また、ベッド３０には、下糸を巻いたボビン（不図示）が収容されている。
【００２５】
被縫製物をベッド３０および補助テーブル２０の載置面２２，３２に載置し、押さえ板１２と送歯の間に挟んだ状態で、上糸を通した針１１を、被縫製物を貫通して上下させることで、被縫製物に縫い目が形成される。使用者が手で被縫製物を−Ｙ方向から＋Ｙ方向に送ることで、複数層に重ねた被縫製物を直線的に縫い合わせることができる。また、送歯を下方に下げた状態で、使用者が被縫製物をＸＹ面内で動かすことで、刺繍を行うことができる。
【００２６】
ベッド３０は、針１１の下方の部位を含んで、前後方向の幅（Ｙ方向に沿った長さ）が他の部位よりも狭くなった、取付け部３１を有する。補助テーブル２０は、ベッド３０の取付け部３１の端縁と相補的な形状に切り欠かれた切欠き部２４を有する。そして、補助テーブル２０に設けられた係合爪（一部を２７，２７として図３（ａ）に図示）を、ベッド３０に設けられた係合孔（不図示）に係合させることで、補助テーブル２０をベッド３０に取り付けることができる。これにより、補助テーブル２０と、ベッド３０が段差なく連結され、補助テーブル２０とベッド３０は、載置面２２，３２が滑らかに連続したテーブルを形成する。
【００２７】
補助テーブル２０の載置面２２の外縁２１は、曲線部２１ａと、直線部２１ｂとを有してなっている。曲線部２１ａは、載置面２２の外縁２１のうち、使用者対面部にあるＹ＜０の領域から、使用者対面部の反対側の領域のうち、針１１に対してベッド３０と反対側に位置する領域であるＸ＜０，Ｙ＞０の領域の一部にわたって形成されている。曲線部２１ａは、これらの領域にわたって連続した、外側に凸の曲線よりなる部位となっている。そして、曲線部２１ａは、針１１の正面に対応するＸ＝０の位置で、最も使用者側に凸となっている。つまり最も−Ｙ方向に突出している。さらに、曲線部２１ａは、このＸ＝０の位置つまりＹ軸を挟んで、Ｘ＞０の領域とＸ＜０の領域で、形状が対称な部分を有している。
【００２８】
直線部２１ｂは、補助テーブル２０の載置面２２の外縁２１において、Ｙ＞０の領域のうち、曲線部２１ａが形成された以外の部位に形成されており、針１１の背面の位置（Ｘ＝０）を含んで、Ｘ軸に略平行な直線よりなっている。曲線部２１ａと直線部２１ｂの間は、滑らかな曲線によって接合されている。
【００２９】
なお、ベッド３０の載置面３２の外縁のうち、手前側（Ｙ＜０）の、補助テーブル２０の外縁２１と接合される領域には、緩やかに内側に窪んだ凹部３３が形成されている。補助テーブル２０をベッド３０に取り付けた状態で、この凹部３３と補助テーブル２０の曲線部２１ａは、滑らかに接合される。また、ベッド３０の載置面３２の外縁のうち、後方側（Ｙ＞０）の、補助テーブル２０の外縁２１と接合される領域は、直線部３４となっており、補助テーブル２０をベッド３０に取り付けた状態で、補助テーブル２０の直線部２１ｂと連続して１つの直線を形成する。
【００３０】
図３（ｂ）に顕著に示されているように、補助テーブル２０の載置面２２の針１１よりも手前側Ｙ＜０の領域には、使用者対面部に向かって−Ｙ方向に緩やかに下降する傾斜を有する傾斜部２２ａが形成されている。ここでは、傾斜部２２ａは、直線的に下降する傾斜ではなく、上に凸の緩やかな曲線を描いて下降する曲面状の傾斜を有している。
【００３１】
補助テーブル２０の側端面２３のうち、少なくとも曲線部２１ａの下方に存在する領域は、上方から下方に向かって内側に入り込んだ傾斜形状を有している。
【００３２】
補助テーブル２０において、載置面２２が形成された板状の天面２５は、前方天面２５ａと後方天面２５ｂの２つに分割されてなり、前方天面２５ａは取り外し可能となっている。図４は、前方天面２５ａを取り外した状態を示しており、補助テーブル２０は、側端面２３と底面に囲まれた領域に、中空部として、収容空間２６有している。この収容空間２６は、複数の平板状の区画部材２６ａによって区画されており、裁縫用具等の物品を整理して収納することができる。
【００３３】
以上のように、本実施形態にかかるミシン１においては、補助テーブル２０の載置面２２の外縁２１のうち、使用者対面部側の領域に、角部を有さず、使用側に凸な曲線よりなる曲線部２１ａが形成されていることにより、曲線部２１ａが被縫製物に滑らかに接触し、補助テーブル２０の載置面２２の外縁２１に被縫製物が引掛りにくくなっている。刺繍枠等、補助部材を被縫製物に取り付けて縫製を行う場合にも、その補助部材が補助テーブル２０の外縁２１に引掛りにくくなっている。特許文献１の場合のように、テーブルが角部を有する略四角形の形状を有していれば、特に被縫製物を角部の方向に送った際に、角部に被縫製物が引掛りやすく、縫製作業の妨げとなる。刺繍枠等の補助部材を使用する場合にも、補助部材が角に引掛りやすい。なお、被縫製物に取り付けて使用する補助部材としては、刺繍枠以外に、待針やクリップ等が挙げられる。
【００３４】
仮に、特許文献１のような略四角形のテーブルを用いながら、角部への被縫製物や補助部材の引掛りを防止しようとする場合に、補助テーブルを大型にすることが考えられる。この場合には、効果的に引掛りを防止するために、被縫製物や刺繍枠等の補助部材が角部に接触しない程度にまで、補助テーブルを大型化することが必要となる。これに対し、上記ミシン１においては、角を有さない曲線部２１ａの形状の効果により、補助テーブル２０の曲線部２１ａに被縫製物や補助部材が接触していても、引掛りが起こりにくくなっているので、補助テーブル２０を過度に大型化することなく、引掛りの防止を達成することができる。例えば、補助部材として四角形や円形の刺繍枠を用いる場合に、大型の刺繍枠が載置面２２に載りきらず、曲線部２１ａよりも外側にまでとび出した状態で配置されたとしても、刺繍枠の内側部が曲線部２１ａに接した状態で滑らかに運動することができ、両者の間に引掛りが生じにくい状態を維持したまま、刺繍枠がテーブル上を運動することが可能である。
【００３５】
補助テーブル２０の載置面２２の外縁２１が使用者対面部側に曲線部２１ａを有することにより、上記のように被縫製物や補助部材の引掛りを抑制することができるのに加え、縫製作業を行う使用者に良好な接触感（手あたり）を与えることができる。補助テーブル２０の使用者対面部側の外縁２１に直線部や角部が配置されていれば、載置面２２の針１１よりも手前の領域に手を配置して使用者が縫製作業を行う際に、その手や腕に直線部や角部が接触することで、刺激や不快感を与え、手当たりが悪くなるのに対し、この部位に曲線部２１ａが配置されていれば、使用者の手に与える刺激や不快感が低減され、比較的手当たりがよくなる。これにより、縫製作業の作用性が向上し、長時間の縫製作業を行っても、使用者に疲労を与えにくくなる。
【００３６】
さらに、曲線部２１ａが、使用者対面部であるＹ＜０の領域だけでなく、反対側のＹ＞０の領域の一部にまでわたって連続的に形成されていることにより、針１１の側方に当たるＸ＜０の領域でも、被縫製物や補助部材の補助テーブル２０への引掛りを抑制することができる。また、通常、使用者は針１１の正面の位置（Ｘ＝０）に対してほぼ対称に手や被縫製物を配置して縫製作業を行うので、上記のような引掛り防止および手あたり向上の効果は、曲線部２１ａが、針１１の正面の位置で最も外側（使用者側）に凸となっている場合、さらには曲線部２１ａの形状が針１１の正面の位置に対して対称（Ｙ軸に対して対称）になっている場合に、特に高くなる。また、曲線部２１ａを、少なくとも針１１の正面近傍の部位で、円弧に近い形状とすれば、引掛りの低減および手あたりの向上について、高い効果を得ることができる。
【００３７】
上記実施形態にかかるミシン１においては、補助テーブル２０の外縁２１の曲線部２１ａは、針１１の位置よりも手前の領域（Ｙ＜０）全体と、針１１の位置よりも後側の領域（Ｙ＞０）の一部にのみ形成されており、針１１の背面（Ｘ＝０）を含む、後側の領域の残りの部位は、直線部２１ｂとなっている。これは、主に針１１よりも手前の領域に被縫製物を配置し、使用者が使用者対面部側から縫製作業を行うため、被縫製物や補助部材の引掛りや使用者に対する手あたりが問題となるのは、補助テーブル２０の載置面２２の外縁２１のうち、主に針１１よりも手前側の領域と、針１１の側方の領域（Ｘ＜０）であることによる。つまり、被縫製物および補助部材の引掛りや手あたりへの関与が比較的低い針１１よりも後側（Ｙ＞０）の領域の外縁２１に直線部２１ｂを形成しておくことで、引掛りの防止や手あたりの向上の効果を高く保ったまま、補助テーブル２０全体をコンパクトにすることができる。ただし、針１１よりも後側の領域でも、被縫製物や補助部材の引掛りが全く起こらないわけではないので、引掛り抑制の効果をさらに高めるためには、直線部２１ｂを形成せず、補助テーブル２０の載置面２２の外縁２１全体にわたって、外側に凸な曲線部２１ａを連続的に形成すればよい。このような構成は、特に、補助部材として刺繍枠を用いる場合に、刺繍枠の引掛りの防止に有効である。刺繍枠は、前方から後方（＋Ｙ方向）のみならず後方から前方（−Ｙ方向）および左右方向（±Ｘ方向）にも多様に運動するからである。
【００３８】
さらに、上記ミシン１においては、補助テーブル２０の載置面２２が、針１１の手前の領域に傾斜部２２ａを有している。これにより、使用者が補助テーブル２０に手を載せて、針１１に向かって手前から被縫製物を送りやすくなっている。さらに、載置面２２において、手前側（Ｙ＜０）の外縁２１が、針１１が配置されている部位（Ｙ＝０）よりも、低い位置となるので、使用者が補助テーブル２０に手を載せて作業を行いやすく、長時間の縫製作業を行っても、手に疲れを生じにくくなっている。また、被縫製物を刺繍枠に取り付けて、テーブル上で被縫製物を移動させる場合にも、刺繍枠を滑らかに移動させることができる。これらの効果により、曲線部２１ａによる効果に加えて、縫製作業の作業性が一層向上する。
【００３９】
また、上記ミシン１においては、補助テーブル２０の側端面２３が、下方が内側に入り込んだ傾斜を有している。この構成も、被縫製物を滑らかに送るのを補助する役割を果たす。また、補助テーブル２０の載置面２２の面積を確保しながら、補助テーブル２０の設置面積を小さくし、ミシン１全体をコンパクトにするのにも寄与する。
【００４０】
ところで、上記ミシン１においては、本体部１０に固定されたベッド３０に対して、補助テーブル２０が着脱可能となっている。補助テーブル２０の着脱を選択することで、多様な使用状態および収納状態を利用することができる。例えば、補助テーブル２０を外してミシン１を使用すれば、衣服の袖部分等、筒状の被縫製物の縫製を行いやすくなる。また、上記のような形状の補助テーブル２０を含め、同一のベッド３０に取り付け可能な、形状や大きさの異なる補助テーブルを複数用意しておけば、被縫製物の形状や縫製技法等に応じて、それらを交換することが可能となる。例えば、刺繍枠を用いずに、通常の直線的な縫製を行う場合には、曲線部２１ａと直線部２１ｂを載置面２２の外縁２１に有する補助テーブル２０を使用し、刺繍枠を用いて刺繍を行う場合には、載置面２２の外縁２１全体が曲線部２１ａとなった補助テーブル２０を使用する形態が考えられる。一方、ミシン１を使用せずに収納しておく際に補助テーブル２０を外しておけば、コンパクトな収納状態が得られる。なお、補助テーブル２０の交換や、補助テーブル２０を外しての使用や収納を想定しない場合には、テーブルをベッド３０と補助テーブル２０に分けて構成せず、テーブル全体を本体部１０と一体として連続的に形成してもよい。
【００４１】
以上のように、補助テーブル２０の載置面２２の外縁２１に曲線部２１ａが形成されていることで、被縫製物や補助部材の引掛りを抑制し、手当たりを向上させることが可能となるが、補助テーブル２０の天面２５の下の収容空間に物品を収容することを考えると、曲線部２１ａの形状は、効率的な収容の妨げとなる可能性がある。しかし、図４に示すように、側壁が曲線状の収容空間２６を、平板状の区画部材２６ａによって直線的に区画しておくことで、収容空間における物品の収容および整理の利便性を確保している。なお、後方天面２５ｂも取り外し可能とし、内部に収容空間を設けてもよい。
【００４２】
以上、本発明の実施形態について詳細に説明したが、本発明は上記実施例に何ら限定されるものではなく、本発明の要旨を逸脱しない範囲で種々の改変が可能である。
【符号の説明】
【００４３】
１        ミシン
１０      本体部
１１      針
２０      補助テーブル
２１      （載置面の）外縁
２１ａ    曲線部
２１ｂ    直線部
２２      載置面
２２ａ    傾斜部
２４      切欠き部
２５      天面
２５ａ    前方天面
２５ｂ    後方天面
２６      収容空間
２６ａ    区画部材
３０      ベッド
３１      取付け部
３２      載置面
【図１】
2015223411.tif 000003
【図２】
2015223411.tif 000004
【図３】
2015223411.tif 000005
【図４】
2015223411.tif 000006